(57)【要約】【課題】誤り検出符号（ＣＲＣ）を採用していない信号であっても、画質補正の実行状態又は抑制状態を制御できるようにする。【解決手段】デジタル放送信号から復調されたトランスポートストリームパケットのヘッダにおけるトランスポートエラーインジケータを検出する。このトランスポートエラーインジケータがパケットエラーを示しているかそうでないかを判定する。この判定の結果で、パケットエラーがあるときは、画質補正部における画質補正動作を抑圧し、パケットエラーがないときは画質補正部の画質補正動作を十分な実行状態に設定する。【選択図】      図１
2006339910.tif 000002
【特許請求の範囲】
【請求項１】
受信した信号からトランスポートストリームを復調する復調部と、復調されたトランスポートストリームのパケットを処理する処理部と、前記パケットに含まれるペイロードのデータをデコードするデコーダと、前記デコーダの出力であるデジタルビデオ信号の画質を補正する画質補正部と、この画質補正部に制御信号を与える再生制御部を有した映像信号処理装置において、
デジタル放送信号から復調されたトランスポートストリームパケットのヘッダにおけるトランスポートエラーインジケータを検出する検出部と、
この検出部による検出の結果、前記トランスポートエラーインジケータがパケットエラーを示しているかを判定する情報判定部と、
この判定部による判定の結果、前記トランスポートストリームパケットにパケットエラーがあるときは前記画質補正部における画質補正動作を抑圧し、パケットエラーがないときは前記画質補正部の画質補正動作を抑圧なく実行状態に設定する総合判定部と
を有した映像信号処理装置。
【請求項２】
前記総合判定部は、画質補正部の輪郭補正回路を制御することを特徴とする請求項１記載の映像信号処理装置。
【請求項３】
前記デコーダには、第１のセレクタを介して、外部からの符号化ビデオ信号を入力可能としていることを特徴とする請求項１記載の映像信号処理装置。
【請求項４】
外部からのエラー情報又は前記トンラスポートインジケータの検出情報を選択的に取り込む第２のセレクタを有し、
さらに前記情報判定部及び総合判定部を含む判定部では、前記外部からのエラー情報に応じて、前記画質補正部の画質補正動作の実行を制御することを特徴とする請求項３記載の映像信号処理装置。
【請求項５】
受信した信号からトランスポートストリームを復調する復調部と、復調されたトランスポートストリームのパケットを処理する処理部と、前記パケットに含まれるペイロードのデータをデコードするデコーダと、前記デコーダの出力であるデジタルビデオ信号の画質を補正する画質補正部と、この画質補正部に制御信号を与える再生制御部を有した映像信号処理装置の画質補正方法において、
前記処理部では、デジタル放送信号から復調されたトランスポートストリームパケットのヘッダにおけるトランスポートエラーインジケータを検出し、
前記再生制御部では、前記トランスポートエラーインジケータの検出の結果、前記トランスポートエラーインジケータがパケットエラーを示しているかそうでないかを判定し、
この判定の結果、前記トランスポートストリームパケットにパケットエラーがあるときは前記画質補正部における画質補正動作を抑圧し、パケットエラーがないときは前記画質補正部の画質補正動作を抑圧なく実行状態に設定するようにした映像信号処理装置の画質補正方法。
【請求項６】
前記画質補正部においての画質補正動作は、輪郭補正であることを特徴とする請求項５記載の映像信号処理装置の画質補正方法。
【請求項７】
前記デコーダには、外部からの符号化ビデオ信号を選択的に入力可能としていることを特徴とする請求項５記載の映像信号処理装置の画質補正方法。
【請求項８】
外部からのエラー情報又は前記トンラスポートインジケータの検出情報を選択的に取り込み、
前記外部からのエラー情報に応じて、前記画質補正部の画質補正動作の実行を制御することを特徴とする請求項７記載の映像信号処理装置の画質補正方法。
【発明の詳細な説明】
【技術分野】
【０００１】
この発明は、映像信号処理装置及び方法に関するもので、例えばデジタル放送信号を受信する受信装置において、受信状態が悪化したときに画質補正部を制御することで画質劣化を抑制する装置と方法に係わるものである。
【背景技術】
【０００２】
映像信号処理装置には、画質補正部が設けられている。この画質補正部は、ベースバンドに変換されたビデオ信号に対して、輪郭強調、γ補正、ヒストグラム補正、白黒伸張などの処理を施す。画質補正を行うには、手動により補正を実行させる方法と、自動的に補正を実行させる方法がある。
【０００３】
手動により補正を実行させる方法では、ユーザが画面を見ながら適宜好みの画質となるように、強制的に調整する。自動的に補正を実行させる方法は、予め補正の範囲を設定しておき、受信状態（例えばＳ／Ｎ）に応じて画質を調整する。
【０００４】
放送受信装置では、Ｓ／Ｎの状況を把握するには、誤り検出符号（ＣＲＣ）を用いた誤り符号訂正処理において、エラー率を監視する方法がある。エラー率が大きくなったときは、Ｓ／Ｎが低いと判断でき、エラー率が小さい場合には、Ｓ／Ｎが高いと判断できる。
【０００５】
Ｓ／Ｎが低いときには、画質補正の１つである輪郭補正は、輪郭を鈍くするほうがよく、Ｓ／Ｎが高いときは、輪郭補正は、輪郭を強調する補正を行うほうが好ましい。つまり、ノイズが多いときは、画像の高域を強調すると、ノイズまでも強調されて画質が悪化するので、高域成分を抑圧した方がよく、ノイズが少ないときは画像の性能が十分に発揮されるように、高域を強調してもよい。
【０００６】
上記のＳ／Ｎの状況に応じて、画質補正の１つである輪郭補正を行う技術としては、特許文献１に記載されたものがある。
【０００７】
また、デジタル放送受信装置において、直接的な画質補正ではないが、画像をエラー状況に応じて変更する技術として、特許文献２に記載された技術がある。この技術は、画像フォーマットが変更され、復号処理において、大きなエラーが発生したときは、黒画像などの画像信号を生成し、これに同期信号を加えて出力するものである。これにより、画面を黒くし画面上の映像の乱れを隠すというものである。
【特許文献１】特開平８−０９８１５３号公報
【特許文献２】特開２０００−２９９８６１公報
【発明の開示】
【発明が解決しようとする課題】
【０００８】
Ｓ／Ｎの状況に応じて画質補正を行う場合、誤り検出符号（ＣＲＣ）を採用している信号に対しては特許文献１に示す技術を採用することができる。しかしながら、誤り検出符号（ＣＲＣ）を採用していない信号の場合には、特許文献１の技術では不十分である。
【０００９】
そこでこの発明では、誤り検出符号（ＣＲＣ）を採用していない信号に対しても、画質補正処理を制御できるようにした映像信号処理装置およびその画質補正方法を提供することを目的とする。
【課題を解決するための手段】
【００１０】
この発明では上記の目的を達成するために、受信した信号からトランスポートストリームを復調する復調部と、復調されたトランスポートストリームのパケットを処理する処理部と、前記パケットに含まれるペイロードのデータをデコードするデコーダと、前記デコーダの出力であるデジタルビデオ信号の画質を補正する画質補正部と、この画質補正部に制御信号を与える再生制御部を有した映像信号処理装置において、デジタル放送信号から復調されたトランスポートストリームパケットのヘッダにおけるトランスポートエラーインジケータを検出する検出部と、この検出部による検出の結果、前記トランスポートエラーインジケータがパケットエラーを示しているかを判定する情報判定部と、この判定部による判定の結果、前記トランスポートストリームパケットにパケットエラーがあるときは前記画質補正部における画質補正動作を抑圧し、パケットエラーがないときは前記画質補正部の画質補正動作を抑圧なく実行状態に設定する総合判定部とを有する。
【発明の効果】
【００１１】
上記の手段によると、誤り検出符号（ＣＲＣ）を採用していない信号であっても、上記のトランスポートエラーインジケータを参照して、画質補正の実行状態又は抑制状態を制御できることになる。
【発明を実施するための最良の形態】
【００１２】
以下、図面を参照してこの発明の実施の形態を詳細に説明する。図１はこの発明の一実施の形態であり、チューナで受信された、デジタル放送信号が入力端子１１を介して、デジタル復調器１２に入力する。デジタル復調器１２で復調されたトランスポートストリームは、トランスポートストリーム処理部１３に入力される。
【００１３】
デジタル復調器１２では、トランスポートストリームのパケットにエラーが多く、予め設定している割合よりも多い場合には、トランスポートエラーインジケータ（エラー表示）にエラー有りのフラッグを書き込むことができる。トランスポートエラーインジケータ（エラー表示）については、さらに後述する。
【００１４】
トランスポートストリーム処理部１３では、トランスポートストリームパケットを分離し、またパケット内のヘッダに含まれる情報を解析する。また、トランスポートストリームパケットのペイロードは、ＭＰＥＧ（Moving Picture Experts Group）２デコーダ１４に入力される。ＭＰＥＧ２デコーダ１４でデコードされたベースバンドのビデオ信号は、画質補正部１５に入力される。
【００１５】
この画質補正部１５では、例えば、ビデオ信号に対して、輪郭強調、γ補正、ヒストグラム補正、白黒伸張などの処理を施すことができる。画質補正部１５で処理されたビデオ信号は、デジタルアナログ変換部１６を介してアナログ出力端子１７に出力される。また、デジタル出力端子１８には、画質補正部１５の出力ビデオ信号がそのまま出力される。
【００１６】
トランスポートストリーム処理部１３の中には、トランスポートストリームパケットのヘッダ解析部１３ａが設けられている。このヘッダ解析部１３ａは、トランスポートエラーインジケータ（エラー表示）チェック部１３ｂを含む。エラーインジケータのチェック結果は、再生制御部２１に入力される。再生制御部２１では、チェック結果が、“エラー有り”を示しているのか“エラー無し”を示しているのかを判定する。この判定は、情報判定部２１ａで行われる。“エラー有り”を示しているときは、エラー検出信号をエラー有りに切り替え、“エラー無し”を示しているときは、エラー検出信号をエラー有りに切り替える。
【００１７】
次に、総合判定部２１ｂにより信号が行われる。即ちエラー検出信号が、エラー有りを示しているときは、画質補正部１５に対して、例えば輪郭補正部の動作をオフするための停止信号を送り、エラー検出信号がエラー無しを示しているときは、画質補正部１５に対して、輪郭補正部の動作をオンにするための信号を送る。この
上記のようにこの発明の装置によると、トランスポートストリームパケットのヘッダに含まれるトランスポートエラーインジケータの内容を利用して、画質補正部１５の動作を制御することができる。よって、送られてくる信号の中に、ＣＲＣ（誤り検出符号）が含まれていなくても、信号のエラー状況（＝Ｓ／Ｎの状況）に応じて画質補正部１５をコントロールすることが可能となる。
【００１８】
図２には、トランスポートストリームの基本的な構成と、そのヘッダに含まれる情報を参考のために示している。１８８バイトのトンラスポートストリームパケットは、ヘッダとペイロードの領域を有する。ヘッダ（Header）には、同期バイト(sync byte)（８ビット）、トランスポートエラーインジケータ(transport error indicator)（１ビット）、ペイロードユニットスタートインジケータ(payload unit start indicator) （１ビット）、トランスポートプライオリティー(transport priority) （１ビット）、ＰＩＤ(packet identifier) （１３ビット）,トランスポートスクランブリングコントロール(transport scrambling control) （２ビット）、アダプテイションフィールドコントロール(adaptation field control) （２ビット）、コンティニュイティーカウンタ(continuity counter) （４ビット）、アダプテイションフィールド(adaptation field) （７６ビット）が含まれる。
【００１９】
上記のトランスポートエラーインジケータがこのパケットがエラーパケットであるか否かを示している。ペイロードユニットスタートインジケータは、このパケットからペイロードが開始するのか否かを示している。トランスポートプライオリティーは、伝送時の優先順位を示すのに利用される。ＰＩＤは、トランスポートストリームのパケットの識別子である。パケットの種類としては、スタッフィングのためのヌルパケット、プログラムアソシエーションテーブル（ＰＡＴ）のパケット、コンディションアクセステーブル（ＣＡＴ）などがある。トランスポートスクランブリングコントロールは、ペイロードがスクランブルを施されていることを示すために利用される。アダプテイションフィールドコントロールは、アダプテイションフィールドが続いているのかどうかを示す。コンティニュイティーカウンタは、ＰＩＤ毎にパケットの連続性を示すのに利用される。同一のＰＩＤのＴＳパケットがくるたびにカウンタはインクリメントされている。値が１５になると、０に戻る。
【００２０】
図３には、再生制御部２１の情報判定部２１ａ側の動作を示すフローチャートである。エラーインジケータがエラーであるかどうかを判定し（ステップＳＡ１）、エラーがあるときはエラー検出信号をエラー有りにし（ステップＳＡ２）、エラーがないときはエラー検出信号をエラー無しにする（ステップＳＡ３）。
【００２１】
図４には、再生制御部２１の総合判定部２１ｂ側の動作を示すフローチャートである。先のエラー検出信号がエラー有りを示すときは画質補正部に対して輪郭補正停止の指令を出力し（ステップＳＢ１，ＳＢ２）、エラー検出信号がエラー無しを示すときは画質補正部に対して輪郭補正実行の指令を出力する（ステップＳＢ２，ＳＢ３）。
【００２２】
図５はこの発明の他の実施形態を示している。図１と同一部分には同一符号を付している。トランスポートストリーム処理部１３と、デコーダ１４との間にセレクタ３１が設けられている。図示しない制御部からの切り替え信号により、セレクタ３１は、外部装置３０からのＭＰＥＧ２信号を選択し、デコーダ１４に供給することができる。一方、再生制御部２１にもセレクタ３２が設けられている。このセレクタ３２は、図示しない前記制御部からの切り替え信号により、外部装置３０からの信号のエラー状況を示すエラー情報を受け取り、判定部３３に与えることができる。判定部３３は、図１に示した情報判定部２１ａ，総合判定部２１ｂを基本的に含む。したがって、図３、図４で説明した動作を得ることができる。つまり、外部からのエラー情報に応じて、前記画質補正部１５の画質補正状態を制御する。
【００２３】
さらにこの実施の形態では、外部装置３０からの信号がデコードされているときに、エラーが多くなると、判定部３３は、エラーが閾値を越えて所定の領域にあるかどうかを判定し、エラーがその条件に当てはまるときは、画質補正部１５における画質補正処理を停止又は画質を鈍くする補正（高域成分を抑圧する補正）を行う。
【００２４】
外部装置としては、デジタル録画機器、例えばハードディスクドライブ、ＤＶＤ記録再生装置が用いられる。また、エラー情報としては、エラー訂正コード（ＥＣＣ）によりエラー訂正処理を行うときに得られた誤り情報が利用される。
【００２５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２６】
【図１】この発明の一実施の形態を示すブロック構成図である。
【図２】地上波デジタル放送におけるトランスポートストリームのフォーマットを示す説明図である。
【図３】図１の再生制御部の動作を示すフローチャートである。
【図４】同じく図１の再生制御部の動作を示すフローチャートである。
【図５】この発明のさらに他の実施の形態を示すブロック構成図である。
【符号の説明】
【００２７】
１２…復調器、１３…トランスポートストリーム処理部、１４…デコーダ、１５…画質補正部、１６…Ｄ／Ａ変換部、２１…再生制御部、３０…外部装置。
【図１】
2006339910.tif 000003
【図２】
2006339910.tif 000004
【図３】
2006339910.tif 000005
【図４】
2006339910.tif 000006
【図５】
2006339910.tif 000007